(57)【特許請求の範囲】
【請求項１】
板紙に樹脂をラミネートした積層シートに円周状の外周からその中心に向けて略二等辺三角形状の溝を配列して外周を周回するように設けてある一方、この溝どうしの間隔を規則的に定めてある円板状の原板から成り、この円板状の原板を上記の溝に沿って絞り込んで天面部を周回する周壁を設けて、この周壁の下方部を内側に折り返して、周壁の内面を周回する内側面部を設けて構成してあることを特徴とする蓋。
【請求項２】
上記の溝を外周を基端として、その先端を外周の中心に向けて等間隔に配列して設けてある一方、この先端どうしの間隔を外周の中心を軸としてこの先端に接する円弧で１０ミリメートル以下の長さにしてあるとともに、基端においてはこの隣接する溝の相対する縁間の間隔を外周の円弧の長さで、上記の先端どうしの円弧の長さに一致させてあることを特徴とする原板から構成してある請求項１記載の蓋。
【請求項３】
周壁の内面に内側面部を接着してあることを特徴とする請求項１又は２記載の蓋。
【請求項４】
周壁の内面を周回する内側面部に内向きリブを設けてあることを特徴とする請求項１乃至３記載のいずれかの蓋。
【請求項５】
板紙の表面にポリプロピレン樹脂、高密度ポリエチレン樹脂のいずれかをラミネートしてあることを特徴とする原板から構成してある請求項１乃至４記載のいずれかの蓋。
【請求項６】
板紙の裏面に低密度ポリエチレン樹脂をラミネートしてあることを特徴とする原板から構成してある請求項１乃至４記載のいずれかの蓋。
【請求項７】
上記低密度ポリエチレン樹脂が直鎖状低密度ポリエチレン樹脂である請求項６記載の蓋。
【請求項８】
板紙に樹脂をラミネートした積層シートに円周状の外周からその中心に向けて略二等辺三角形状の溝を配列して外周を周回するように設け、この溝どうしの間隔を規則的に定めて構成してあることを特徴とする蓋の原板。
【請求項９】
上記の溝を外周を基端として、その尖った先端を外周の中心に向けて等間隔に配列して設けてある一方、この先端どうしの間隔を外周の中心を軸としてこの先端に接する円弧で１０ミリメートル以下の長さにしてあるとともに、基端においてはこの隣接する溝の相対する縁間の間隔を外周の円弧の長さで、上記の先端どうしの円弧の長さに一致させてあることを特徴とする請求項８記載の蓋の原板。
【請求項１０】
板紙の表面にポリプロピレン樹脂、高密度ポリエチレン樹脂のいずれかをラミネートしてあることを特徴とする請求項８又は９記載の蓋の原板。
【請求項１１】
板紙の裏面に低密度ポリエチレン樹脂をラミネートしてあることを特徴とする請求項８又は９記載の蓋の原板。
【請求項１２】
上記低密度ポリエチレン樹脂が直鎖状低密度ポリエチレン樹脂である請求項１１記載の原板。
【発明の詳細な説明】
【０００１】
【産業上の利用分野】
本発明は、板紙に樹脂をラミネートした積層シートに溝を規則的に設けた原板から絞り込み加工により構成した周壁付の蓋及びその原板を提供する。
【０００２】
【従来の技術】
従来、紙をベースにした原材から構成した蓋は広く知られている。例えば、厚紙から成る密閉蓋及びその製造方法（特開平４ー２３９４４１号）では、缶または缶状の容器用の厚紙から成る密閉蓋において、オーバーラップ型蓋または取付蓋の周回するフランジの稜を補強し周回する安定リングが設けられ、該安定リングが周回するフランジの内面及び／または外面に接着及び／または溶接により固定されている蓋が提案されている。
従来、紙をベースにした原板から構成した周壁付の蓋においては、周壁に設けられた単純な構成の溝により、蓋の外形を整えようとしていた。
また、周壁付の蓋を外形を整えて構成するために必要な溝の形状やその配列等に関しての詳細な構成は知られていなかった。
紙をベースにした原板に関しても、上記の溝の構成に関して詳細な知見や事例はなかった。
【０００３】
【発明が解決しようとする課題】
従来、周壁付の蓋は、板紙をベースに溝を設けた原板から、この溝に沿った絞り込み加工により構成しているが、しかし、従来の溝は原板に適当に設けてあるにすぎないため、蓋の天面部と周壁との縁や、周壁の表面及び内面とに原板が不規則に重なり合ってしまい、形状の整った蓋が構成できないという問題点があった。
この形状の乱れは蓋の外観を損ねるとともに、蓋と容器との着脱具合を不安定にするという問題点があった。
【０００４】
高い周壁であっても、周壁や周壁を周回する内側面部の形状が良く整っており、容器との着脱具合のよい蓋が求められているという課題があった。
【０００５】
従来公知の厚紙から成る蓋では、蓋の表面に鮮明な印刷ができず、また表面に塵埃などが付着し易く、そのため、表面に印刷した商品名や特徴等が鮮明度を欠き、また店舗等においても汚れやすくなり、商品の訴求効果を損なうという問題点があった。
厚紙から成る蓋は、吸湿性があるため、湿度の高い時期での貯蔵において、内容物に湿気が移る危険があるという問題点があった。
また、厚紙から成る蓋では、外力を受けたさいに変形し易いという問題点があった。
【０００６】
本発明は、上記の問題点や課題を解決するため、高い周壁付の蓋であって、整った外形を備え、容器との着脱具合も良く、鮮明な印刷を行え、耐湿性等にも優れている蓋を提供するとともに、この蓋の原板を提供することを目的とする。
【０００７】
【課題を解決するための手段】
本発明の蓋は、上記の目的を達成するため、板紙に樹脂をラミネートした積層シートに円周状の外周からその中心に向けて略二等辺三角形状の溝を配列して外周を周回するように設けてある一方、この溝どうしの間隔を規則的に定めてある円板状の原板から成り、この円板状の原板を上記の溝に沿って絞り込んで天面部を周回する周壁を設けて、この周壁の下方部を内側に折り返して、周壁の内面を周回する内側面部を設けて構成してあることを特徴とする。
【０００８】
上記の溝を外周を基端として、その先端を外周の中心に向けて等間隔に配列して設けてある一方、この先端どうしの間隔を外周の中心を軸としてこの先端に接する円弧で１０ミリメートル以下の長さにしてあるとともに、基端においてはこの隣接する溝の相対する縁間の間隔を外周の円弧の長さで、上記の先端どうしの円弧の長さに一致させてあることを特徴とする。
【０００９】
周壁の内面に内側面部を接着してあることを特徴とする。
周壁の内面を周回する内側面部に内向きリブを設けてあることを特徴とする。
板紙の表面にポリプロピレン樹脂、高密度ポリエチレン樹脂のいずれかをラミネートしてあることを特徴とする。
板紙の裏面に、低密度ポリエチレン樹脂をラミネートしてあることを特徴とする。この低密度ポリエチレン樹脂が直鎖状低密度ポリエチレン樹脂であることが好ましい。
【００１０】
本発明の蓋の原材は、板紙に樹脂をラミネートした積層シートに円周状の外周からその中心に向けて略二等辺三角形状の溝を配列して外周を周回するように設け、この溝どうしの間隔を規則的に定めて構成してあることを特徴とする。
【００１１】
【作用】
板紙に樹脂をラミネートした積層シートに円周状の外周からその中心に向けて略二等辺三角形状の溝を配列して外周を周回するように設けてある一方、この溝どうしの間隔を規則的に定めてある円板状の原板から成り、この円板状の原板を上記の溝に沿って絞り込んで天面部を周回する周壁を設けて、この周壁の下方部を内側に折り返して、周壁の内面を周回する内側面部を設けて構成してあるから、高い周壁を設けた蓋であっても、外形の整った形状の蓋を構成する。
板紙に樹脂をラミネートした積層シートに円周状の外周からその中心に向けて先端の尖った形状の細い溝を配列して外周を周回するように設け、この溝どうしの間隔を規則的に定めて構成してあるから、この積層シート状の原板から上記の蓋を構成できる。
【００１２】
【実施例】
本発明の蓋を以下、図１と図２を用いて説明する。この蓋は、円状の天面部１と、天面部１を周回する垂直状に垂下した周壁２と、この周壁２の内面を周回する内側面部３から構成してある。この天面部１の外径は９３ミリメートル、周壁２の高さが１２ミリメートルあり、やや深い絞り加工により構成してある。
そして、この周壁２の表面には、溝４の先端側が線状に縮幅して規則的に並んで起立しており、周壁２の表面はきわめて良く整った形状になっている。内側面部３の表面には、溝４の基端側が起立して規則的に折り込まれており、内側面部３の表面は、きわめて良く整った形状になっている。
【００１３】
上記の蓋は、平方メートル当たり３７０グラムの板紙の表面に厚さ２０ミクロンのポリプロピレン樹脂をラミネートし、同じく裏面に厚さ１８ミクロンの低密度ポリエチレン樹脂をラミネートした積層シートに、先端の尖った略二等辺三角形状の細い溝４を外周５を基端として、その尖った先端を外周５の中心に向けて等間隔に配列して外周５を周回するように設けてある原板から構成してある。
【００１４】
図３は、上記の積層シートを外周５に沿って打ち抜いた円板状の原板を示す。図４は、図３中の隣接する先端の尖った略二等辺三角形状の細い溝４の拡大図である。
この隣接する溝４はその尖った先端において、先端どうしの間隔を、外周５の中心を軸としてこの先端に接する円弧Ａに沿って１０ミリメートル以下の長さにしてある。溝４の基端においては、この隣接する溝４の内向きに縁７と縁７との間隔を、外周５の円弧Ｂに沿った長さで、上記の先端どうしの円弧Ａの長さと一致させてある。上記の関係を数式を用いて表せば、
１０ｍｍ≧Ａ＝Ｂ
、となる。
この原板には、上記の溝４の他に、外周５の中心を軸として溝４の先端と接する内周線１１と、溝４のほぼ中間を横切る中間線１２とを設けてある。これらの内周線１１及び中間線１２はそれぞれ内周溝及び中間溝としてもよい。
【００１５】
上記の円板状の原板を、溝４に沿って絞り込んで、内周線１１を天面部１の縁として天面部１を周回する周壁２を垂直状に設けて、さらに、この周壁２の下方部を中間線１２を境にして内側に折り返して内側面部３を設けてあり、この中間線１２が周壁２の下縁になっている。ここで、溝４の先端側は縮幅して周壁２の表面に位置しており、溝４の基端側は規則的に折り込まれて内側面部３の表面に位置している。
この実施例では、上記の円弧Ａ及び円弧Ｂとの長さは共に５ミリメトルとした原板を用いて上記の蓋を構成してある。
この蓋は、天面部１と周壁２及び内側面部３の表面はポリプロピレン樹脂または光沢性の高密度ポリエチレン樹脂のラミネート層になっており、同じく内面は低密度ポリエチレン樹脂あるいは直鎖状低密度ポリエチレン樹脂のラミネート層になっている。
【００１６】
なお、蓋を円形状に仕上げるためには、上記の溝どうし間隔を、上記円弧の長さで５ミリメートル程度にすることが望ましい。しかし、これが１０ミリメートルを越えると、蓋が多角形状となり好ましくない。
また、蓋の天面部や周壁のサイズ、板紙やラミネート層の厚さは、上記の例に限らない。
【００１７】
周壁２の内面に内側面部３の内面を比較的低温度及び中低圧の重合圧により接着あるいはスポット接着してある。蓋の内面は融点が比較的低い低密度ポリエチレン樹脂あるいは直鎖状低密度ポリエチレン樹脂（ＬＬＤ−ＰＥ）のラミネート層であるから、上記のヒートシールにさいし、板紙の微細空洞の中の空気が膨張して膨らみを生ずることなく、またそれに伴って樹脂屑等が突出することはなく、周壁２の内面と、内側面部３の表面とを平滑に仕上げることができる。
上記と同様にして、この内側面部に形状の整った内向きリブ１３を容易に設けることができる。この内向きリブ１３は、内側面部３の上縁に設けることが望ましい。そのために、圧接ローラーによって圧接作業をするさいに、内側面部３の上縁にローラー圧を与えないようにして構成することができ、これによって樹脂屑等の発生も防止できる。
【００１８】
ここで、上記の原板において隣接する溝４どうし間の円弧Ａと円弧Ｂの長さを一致させる条件を説明する。図４中符号６は、外周５の中心と、図中上方に位置する溝４の基端の外向きの縁とを結ぶ線分を示し、同じく符号８は図中上方に位置する溝４の内向きの縁７の基端と外周５の中心とを結ぶ線分を示す。隣接する溝４の中心線７Ａ、７Ｂは同じく外周５の中心から延びた線分である。
符号θ1 は、線分８と中心線７Ｂとの交差角度を示し、以下これをθ1 として表す。同様にして、θは中心線７Ａと７Ｂとの交差角度を示し、θ2 は線分６と中心線７Ｂとの交差角度である。
溝４の先端と接する内周線１１の半径をｒとして、溝４の基端である外周５の半径をＲとして表す。
ここで中心線７Ａと７Ｂとの交差角度を示すθを基準にして、θ1 とθ2 とが共に下記の２式を満足すれば、円弧Ａと円弧Ｂの長さは一致する。
θ1 ＝θ−［θ−ｒ×θ／Ｒ］／２
θ2 ＝θ＋［θ−ｒ×θ／Ｒ］／２
隣接する溝４が、上記の２式を満足すれば、円板状の原板を溝４に沿って絞り込んで、垂直状に垂下する周壁を有する蓋を構成できる。
【００１９】
【発明の効果】
本発明の蓋は、板紙に樹脂をラミネートした積層シートに円周状の外周からその中心に向けて略二等辺三角形状の溝を配列して外周を周回するように設けてある一方、この溝どうしの間隔を規則的に定めてある円板状の原板から成り、この円板状の原板を上記の溝に沿って絞り込んで天面部を周回する周壁を設けて、この周壁の下方部を内側に折り返して、周壁の内面を周回する内側面部を設けて構成してあるから、周壁付の整った外形の蓋であって、容器との着脱具合が良い蓋を提供できる効果を有する。
【００２０】
略二等辺三角形状の溝どうしの間隔を、その先端において外周の中心を軸とした円弧で１０ミリメートル以下の長さにしてあり、基端においてはこの隣接する溝の相対する縁間の間隔を外周の円弧の長さで、上記の先端どうしの円弧の長さに一致させてある原板から構成してあるから、周壁の表面は溝の先端側が線状に縮幅して規則的に並んで起立しており、内側面部の表面は溝の基端側が規則的に折り込まれている良く整った形状の高い周壁を形成できる効果を有する。
【００２１】
蓋の表面は、ポリプロピレン樹脂又は高密度ポリエチレン樹脂のラミネート層であるから、鮮明な印刷が行えて、耐湿性等に優れる蓋を提供できる効果を有する。
蓋の裏面は、低密度ポリエチレン樹脂あるいは直鎖状低密度ポリエチレン樹脂のラミネート層であるから、周壁と内側面部との接着が平滑な仕上がりにできるとともに、内側面部に形状の整った内向きリブを形成できる効果を有する。
【００２２】
本発明の蓋の原板は、板紙に樹脂をラミネートした積層シートに円周状の外周からその中心に向けて先端の尖った形状の細い溝を配列して外周を周回するように設けてある一方、この溝どうしの間隔を規則的に定めて構成してあるから、上記の蓋の構成材となる積層シート状の原板を提供できる効果を有する。
【図面の簡単な説明】
【図１】本発明の蓋を示す一部欠切の斜面図
【図２】図１に示す蓋の側面を示す一部断面の側面図
【図３】本発明の蓋の原板を示す平面図
【図４】図３の一部分を拡大して示す拡大図
【符号の説明】
１  天面部
２  周壁
３  内側面部
４  溝
５  外周
Ａ  円弧
Ｂ  円弧
【図１】
0003665658.tif 000002
【図２】
0003665658.tif 000003
【図３】
0003665658.tif 000004
【図４】
0003665658.tif 000005